(57)【特許請求の範囲】
【請求項１】
回転自在に支持された円環状のビードワイヤーの外周面上に、押出し成形された断面略三角形状のビードフィラーを所定の長さに切断した後、ビードフィラーの底面部及び両端面を接合させて貼付けるビードフィラーの圧着方法において、
前記押出し成形されたビードフィラーの両端末部近傍を左右一対の把持爪により保持し、該ビードフィラーの両端末部を引き寄せて接合させた後、該ビードフィラーを左右一対の把持爪により保持した状態でビードフィラーの底面部をビードワイヤーの外周面上に圧着するビードフィラーの圧着方法。
【請求項２】
円環状に形成されたビードワイヤーを回転可能に支持するビードワイヤー保持装置と、ビードフィラーの端末部を貼合わせた状態でビードワイヤー上に圧着させる圧着貼付け装置とからなり、前記圧着貼付け装置は、ビードワイヤー保持装置の外周部近傍に、ビードフィラーの両端末部近傍を把持する左右一対の把持爪と、該把持爪を接近・離反させる接合手段と、両端末部が貼合わされたビードフィラーを左右一対の把持爪により保持した状態で、把持爪を介してビードフィラーの底面部をビードワイヤーの外周面上に圧着する圧着手段とで構成して成るビードフィラーの圧着装置。
【請求項３】
前記左右一対の把持爪の把持側内面に、ビードフィラーのプロファイルに対応した保持溝を形成した請求項２に記載のビードフィラーの圧着装置。
【発明の詳細な説明】
【０００１】
【発明の属する技術分野】
この発明は、ビードフィラーの圧着方法及びその装置に係わり、更に詳しくは円環状のビードワイヤーの外周面上にビードフィラーを圧着させて貼付け後にビードフィラーの剥離の確認作業や修正作業を不要とし、ビードフィラーの接合部（スプライス部）の故障を減少させることが出来るビードフィラーの圧着方法及びその装置に関するものである。
【０００２】
【従来の技術】
従来、ラジアルタイヤの成形において、円環状に成形されたビードワイヤーの外周面上にビードフィラーと一般に呼称される断面略三角形状の比較的硬度の高いゴム部材を配置することが行われている。
【０００３】
そして、その成形方法としては、回転自在に保持された円環状のビードワイヤーの外周面上に、ゴム押出機から断面略三角形状のビードフィラーを押出し、ビードワイヤーの周長に対応させた長さに切断した後、圧着させていた。
【０００４】
【発明が解決しようとする課題】
そのため、幅のあるビードフィラーの底面をビードワイヤー上に載置させ、その端末部をスプライスさせることになり、その結果、ビードフィラーの外周側のスプライス部分が剥がれ易いと言う問題があった。従って、スプライス作業終了後、所定時間経過時に作業員によるスプライス部の剥がれ確認作業や、剥がれた部分の修正作業は不可欠であった。
【０００５】
そこで、発明者等がスプライス作業の状況を詳細に、かつ鋭意検討した結果、従来は先ずビードワイヤー上にビードフィラーの底面部を圧着してからスプライス部を、ビードワイヤー側から順にビードフィラーの外周側に向かって圧着していくため結果的にビードフィラーの外周側が伸ばされてから圧着されていることが明らかとなった。
【０００６】
即ち、従来のビードフィラー成形方法では、ビードフィラーの内周側と外周側の周長差による不必要な張力がビードフィラーの最も薄い外周側に集中するため、その部分のスプライスが剥がれ易かったのである。
【０００７】
この発明の目的は、ビードワイヤーの外周面にビードフィラーの貼付け，圧着作業終了後における剥がれ等の不具合を減少させ、作業終了後の剥がれ確認作業や修正作業を不要にし、タイヤ加硫工程で発生していたビードフィラー接合部分の故障を著しく減少させることが出来るビードフィラーの圧着方法及びその装置を提供することにある。
【０００８】
【課題を解決するための手段】
この発明は上記目的を達成するため、この発明のビードフィラーの圧着方法は、押出し成形されたビードフィラーの両端末部近傍を左右一対の把持爪により保持し、該ビードフィラーの両端末部を引き寄せて接合させた後、該ビードフィラーを左右一対の把持爪により保持した状態でビードフィラーの底面部をビードワイヤーの外周面上に圧着することを要旨とするものである。
【０００９】
また、この発明のビードフィラーの圧着装置は、円環状に形成されたビードワイヤーを回転可能に支持するビードワイヤー保持装置と、ビードフィラーの端末部を貼合わせた状態でビードワイヤー上に圧着させる圧着貼付け装置とからなり、前記圧着貼付け装置は、ビードワイヤー保持装置の外周部近傍に、ビードフィラーの両端末部近傍を把持する左右一対の把持爪と、該把持爪を接近・離反させる接合手段と、両端末部が貼合わされたビードフィラーを左右一対の把持爪により保持した状態で、把持爪を介してビードフィラーの底面部をビードワイヤーの外周面上に圧着する圧着手段とで構成したことを要旨とするものである。
【００１０】
この発明は、上記のように構成され、押出し成形されたビードフィラーの両端末部近傍を左右一対の把持爪により保持し、該ビードフィラーの両端末部を引き寄せて接合させた後、該ビードフィラーを左右一対の把持爪により保持した状態でビードフィラーの底面部をビードワイヤーの外周面上に圧着するので、スプライス作業終了後におけるビードフィラーの剥がれ状況を作業員が確認したり、修正作業を行う必要が少なく、またタイヤ加硫工程で発生していたビードフィラー接合部分の故障を著しく減少させることが出来るものである。
【００１１】
【発明の実施の形態】
以下、添付図面に基づき、この発明の実施形態を説明する。
【００１２】
図１は、この発明のビードフィラーの圧着方法を実施するための圧着装置の概略正面図、図２は図１のＡ−Ａ矢視側面図、図３は図１のＢ−Ｂ矢視側面図を示し、この圧着装置は、円環状に形成されたラジアルタイヤのビードワイヤーＷを回転可能に支持するビードワイヤー保持装置１と、図示しない押出機から押出された断面略三角形状のビードフィラーＦの両端末部を貼合わせた状態でビードワイヤーＷ上に圧着させる圧着貼付け装置２とから構成されている。
【００１３】
前記ビードワイヤー保持装置１は、ビードワイヤーＷを回転自在に支持する複数本のガイドローラ３ａ，３ｂと、駆動ローラ４等から構成され、また前記圧着貼付け装置２は、図２及び図３に示すように、ビードワイヤー保持装置１の外周部近傍に、ビードフィラーＦの両端末部近傍を把持シリンダー等の把持手段５，６を介して把持する左右一対の把持爪５ａ，５ｂ、６ａ，６ｂと、該把持爪５ａ，５ｂ、６ａ，６ｂをそれぞれ接近・離反させる把持シリンダー等の接合手段７ａ，７ｂと、両端末部が接合わされたビードフィラーＦを左右一対の把持爪５ａ，５ｂ、６ａ，６ｂで保持した状態で、該ビードフィラーＦの底面部を、前記ビードワイヤーＷの外周面上に圧着する圧着シリンダー等の圧着手段８とで構成されている。
【００１４】
前記左右一対の把持爪５ａ，５ｂ、６ａ，６ｂは、接合手段７ａ，７ｂのフレームの先端にボルト等の取付け金具を介して着脱可能に取付けられ、左右一対の把持爪５ａ，５ｂ、６ａ，６ｂの把持側内面には、ビードフィラーＦのプロファイル（略三角形状）に対応した保持溝９ａ，９ｂが形成されている。
【００１５】
なお、図１において１０は圧着ローラ、１１はビードフィラーＦをビードワイヤーＷの周長に対応させて切断する切断カッター、１２は把持爪５ａ，５ｂ、６ａ，６ｂのストッパーピンを示している。
【００１６】
次に、上記のような構成から成る圧着装置を用いてビードフィラーの圧着方法を説明する。
【００１７】
先ず、円環状に形成されたビードワイヤーＷをビードワイヤー保持装置１のガイドローラ３ａ，３ｂと駆動ローラ４とに掛回し、ビードワイヤーＷを一定の速度で回転させながらビードワイヤーＷの外周面上に、押出機から押し出された断面略三角形状のビードフィラーＦを順次貼付けていき、ビードワイヤーＷの周長に対応する長さで切断カッター１１により切断する。
【００１８】
そして、ビードフィラーＦの両端末部を、図４及び図５（ａ）に示すように左右一対の把持爪５ａ，５ｂ、６ａ，６ｂにより把持し、把持シリンダー等の接合手段７ａ，７ｂでビードフィラーＦの両端末部を図５（ｂ）に示すように引き寄せて接合させた後、図５（ｃ）に示すように左右一対の把持爪５ａ，５ｂ、６ａ，６ｂにより把持したビードフィラーＦの底面部を圧着シリンダー等の圧着手段８でビードワイヤーＷの外周面上に圧着する。
【００１９】
圧着した後は、左右一対の把持爪５ａ，５ｂ、６ａ，６ｂがビードフィラーＦの両端末部を開放し、圧着手段８で把持爪５ａ，５ｂ、６ａ，６ｂを上昇させて圧着方法は完了する。
【００２０】
このように、この発明ではビードフィラーＦの端末部同士を接合させた後、ビードワイヤーＷの外周面上に圧着させるので、不必要な張力がビードフィラーＦの最も肉厚の厚い内周側に分散して作用するため、接合作業終了後の剥がれ等の不具合が極めてすくなくなり、接合部における故障も著しく減少させることが出来た。
【００２１】
即ち、従来のビードフィラーの成形方法では、ビードフィラーの内周側と外周側の周長差による不必要な張力がビードフィラーの最も薄い外周側に集中するため、その部分のスプライスが剥がれ易いと言う問題があったが、この点をこの発明では有効に解決することが出来たのである。
【００２２】
【発明の効果】
この発明は、上記のように円環状に形成されたビードワイヤーを回転可能に支持するビードワイヤー保持装置と、ビードフィラーの端末部を貼合わせた状態でビードワイヤー上に圧着させる圧着貼付け装置とからなり、前記圧着貼付け装置は、ビードワイヤー保持装置の外周部近傍に、ビードフィラーの両端末部近傍を把持する左右一対の把持爪と、該把持爪を接近・離反させる接合手段と、両端末部が貼合わされたビードフィラーを左右一対の把持爪により保持した状態で、把持爪を介してビードフィラーの底面部をビードワイヤーの外周面上に圧着する圧着手段とで構成し、押出し成形されたビードフィラーの両端末部近傍を左右一対の把持爪により保持し、該ビードフィラーの両端末部を引き寄せて接合させた後、該ビードフィラーを左右一対の把持爪により保持した状態でビードフィラーの底面部をビードワイヤーの外周面上に圧着するので、ビードワイヤーの外周面にビードフィラーの貼付け，圧着作業終了後における剥がれ等の不具合を減少させることが出来、作業終了後の剥がれ確認作業や修正作業を不要にでき、またタイヤ加硫工程で発生していたビードフィラー接合部分の故障を著しく減少させることが出来る効果がある。
【図面の簡単な説明】
【図１】この発明のビードフィラーの圧着方法を実施するための圧着装置の概略正面図である。
【図２】図１のＡ−Ａ矢視側面図である。
【図３】図１のＢ−Ｂ矢視側面図である。
【図４】把持爪の作動説明図である。
【図５】（ａ），（ｂ），（ｃ）は、左右一対の把持爪によるビードフィラーの端末部の接合工程の説明図である。
【符号の説明】
１  ビードワイヤー保持装置            ２  圧着貼付け装置
３ａ，３ｂ  ガイドローラ              ４  駆動ローラ
５，６  把持シリンダー等の把持手段
５ａ，５ｂ、６ａ，６ｂ  左右一対の把持爪
７ａ，７ｂ  接合手段
８  圧着手段                      ９ａ，９ｂ  保持溝
１０  圧着ローラ                    １１  切断カッター
１２  ストッパーピン
Ｆ  ビードフィラー                  Ｗ  ビードワイヤー
【図１】
0004501265.tif 000002
【図４】
0004501265.tif 000003
【図５】
0004501265.tif 000004
【図２】
0004501265.tif 000005
【図３】
0004501265.tif 000006